(57)【要約】【課題】撮影条件を撮影直前の環境をもとに素早く設定できる撮影装置を提供する。【解決手段】ユーザの選択により又は自動設定により撮影パラメータの異なる複数の撮影条件を設定する手段と、被写体を複数の撮影条件ごとに撮影する手段と、撮影条件毎の撮影により得られた画像を表示する手段とを有する撮影条件毎撮影モードを備え、表示手段に表示された撮影条件毎撮影モードにより撮影された画像の中から所定の画像を選択する手段を有し、選択手段により所定の画像を選択することにより、選択された画像が撮影された時の撮影条件に対応する撮影条件に設定された撮影条件設定撮影モードに、撮影条件毎撮影モードから切り替える手段を有する撮影装置。【選択図】図２
2018152719.tif 000002
【特許請求の範囲】
【請求項１】
ユーザの選択により又は自動設定により撮影パラメータの異なる複数の撮影条件を設定する設定手段と、
被写体を前記複数の撮影条件毎に撮影する撮影手段と、
前記撮影条件毎の撮影により得られた画像を表示する表示手段とを有する撮影条件毎撮影モードを備え、
前記表示手段に表示された前記撮影条件毎撮影モードにより撮影された画像の中から所定の画像を選択する選択手段を有し、
前記選択手段により前記所定の画像を選択することにより、前記選択された画像が撮影された時の撮影条件に対応する撮影条件に設定された撮影条件設定撮影モードに、前記撮影条件毎撮影モードから切り替える切替手段を有することを特徴とする撮影装置。
【請求項２】
請求項１に記載の撮影装置であって、前記選択手段により前記所定の画像を選択する際、前記撮影条件毎撮影モードにより撮影された画像が削除されることを特徴とする撮影装置。
【請求項３】
請求項１に記載の撮影装置であって、前記選択手段により前記所定の画像を選択する際、前記撮影条件毎撮影モードにより撮影された画像の中で、前記選択された画像以外の画像が削除されることを特徴とする撮影装置。
【請求項４】
請求項１〜３のいずれかに記載の撮影装置であって、前記選択手段により前記所定の画像を選択することにより、前記切替手段により、前記選択された画像が撮影された時の撮影条件に対応する撮影条件に固定された撮影条件固定撮影モードに、前記撮影条件毎撮影モードから切り替えることを特徴とする撮影装置。
【請求項５】
自動設定により複数の撮影パラメータを含む撮影条件を設定する設定手段と、
被写体を複数の前記撮影条件に基づいて撮影する撮影手段と、
撮影した画像を前記撮影条件とともに画像データとして記録する記録手段と、
前記撮影手段により得られた画像を表示する表示手段とを有する自動設定撮影モードを備え、
前記表示手段に表示された自動設定撮影モードにより撮影された画像を選択する選択手段を有し、
前記選択手段により画像を選択することにより、選択された画像が撮影された時の撮影条件に対応する撮影条件に設定された撮影条件設定撮影モードに、前記自動設定撮影モードから切り替える切替手段を有することを特徴とする撮影装置。
【請求項６】
請求項５に記載の撮影装置であって、前記設定手段は、測光値に応じて撮影条件の自動設定を行うことを特徴とする撮影装置。
【請求項７】
請求項５又は６に記載の撮影装置であって、前記選択手段により画像を選択する際、前記自動設定撮影モードにより撮影された画像が削除されることを特徴とする撮影装置。
【請求項８】
請求項５又は６に記載の撮影装置であって、前記選択手段により画像を選択する際、前記自動設定撮影モードにより撮影された画像の中で、前記選択された画像以外の画像が削除されることを特徴とする撮影装置。
【請求項９】
請求項５〜８のいずれかに記載の撮影装置であって、前記選択手段により画像を選択することにより、前記切替手段により、前記選択された画像が撮影された時の撮影条件に対応する撮影条件に固定された撮影条件固定撮影モードに、前記自動設定撮影モードから切り替えることを特徴とする撮影装置。
【請求項１０】
請求項１〜９のいずれかに記載の撮影装置であって、前記撮影パラメータは絞り、シャッター速度、増幅度、ストロボ発光状態、手ぶれ補正設定及びホワイトバランスを含むことを特徴とする撮影装置。
【請求項１１】
請求項１〜10のいずれかに記載の撮影装置であって、前記選択された画像が撮影された時の撮影条件に対応する撮影条件は、前記選択された画像が撮影された時の撮影条件と同一の撮影条件であることを特徴とする撮影装置。
【発明の詳細な説明】
【技術分野】
【０００１】
本発明は撮影装置に関する。
【背景技術】
【０００２】
現在のカメラは、被写体の条件によって撮影条件を自動設定する機能が備わっている。またカメラがデジタル化されて、撮影した写真をその場で確認できるようになった。メモリ容量も増え、１枚当たりの撮影コストが減っており、条件を変えて試し撮りをして最適な撮影結果が得られる撮影条件を探るという方法も一般的となっている。
【０００３】
そこで、既に撮影した写真を確認し、良い結果が得られた写真と同じ撮影条件に設定して次の撮影をしたいという要望がある。ここでいう撮影条件とは、基本的には絞り・シャッター速度・感度、ストロボ発光状態、さらには手ぶれ補正設定やホワイトバランス等の処理条件であり、撮影結果とは、明るさ、被写界深度、ブレ具合、ノイズ量、色合いなどである。
【０００４】
しかし、今までのデジタルカメラでは、自動設定の結果が必ずしも撮影者の意図に合わないという問題があった。特に光源の少ない室内パーティなどでは、構図の僅かな変化で自動設定の結果が大きく変わることがあった。
【０００５】
今までのデジタルカメラでは、そのような場合への対応の一つとして「AEロックボタン」が搭載されている。撮影するのとは違う構図でAEを動作させてその値に固定するという機能であるが、これを活用するにはAE特性を十分に把握した上で被写体各部の明るさを正確に目測することが必要であるため、AE動作の予測と実際の結果に不一致が生じやすい。
【０００６】
今まで撮影者は、意図した通りの撮影結果を得るために、条件を変えながら試し撮りをした後、あるいはAEが不安定で意図せず様々な条件で撮影された後、写真を見直し、適切な結果になっている写真の撮影条件を確認し、撮影モードに移行してその値に手動で設定するという煩雑な操作をしていた。この操作のため次の撮影までに時間がかかり、場合によってはその間にシャッターチャンスを逃してしまうという問題があった。またAEモードの時には露出補正値と特定の優先パラメータしか操作できないため、AEが安定しない被写体ではマニュアルモードに変更しないと確認した写真と同じ撮影条件にすることができなかった。
【０００７】
ライブビュー機能を使えば撮影結果に近い画像を見ながら条件を決められるが、色々な制約のため撮影時と完全に同じ条件にはなっていないという問題があった。また、定点撮影や記録用途などで前回と同じ条件で撮影したいという場合もあるが、その設定には間違いのない注意深い操作が必要であった。
【０００８】
特開2002-10134号公報（特許文献１）は、被写体の種別に応じた複数の撮影モードに対応した予め撮影した複数の見本画像を表示し、表示された複数の見本画像のうちの１つを選択することにより、選択された見本画像に対応する撮影モードを設定する手段を備えたカメラ装置を開示している。すなわち、特許文献１のカメラ装置は、過去に撮影された画像で確認しながら、その画像の撮影時と同一の撮影条件を設定することができるが、現在の撮影状況に基づいた設定は行えなかった。またメニューからその機能を選択した上で画像参照・選択するという手順を踏まなければならず、直観性と迅速さに欠けていた。さらに、特許文献１の撮影モードは「ポートレート」、「風景」、「夜景」等のシーン撮影モードであり、光源の少ない室内パーティで構図の僅かな変化に対応する等の撮影者の細やかな意図には対処できなかった。
【０００９】
特開2007-81772号公報（特許文献２）は、取り込んだ画像の露出又はコントラストを修正した画像を生成し、取り込んだ画像と修正した画像の両方を画面に表示し、修正した画像が選択された場合、修正した画像の設定で撮影できるように設定を制御する画像処理装置を開示している。しかし特許文献２の画像処理装置は、予め撮影した画像をもとに露出又はコントラストを修正するものであり、特許文献１と同様に、現在の撮影状況に基づいた設定は行えないという問題がある。またメニューからその機能を選択した上で画像参照・選択するという手順を踏まなければならず、直観性と迅速さに欠けていた。
【００１０】
特開2015-95739号公報（特許文献３）は、複数種の撮影パラメータの種類毎にそのパラメータ値を変更しながら同一の被写体を複数回撮影した一連の画像を取得し、所定の撮影パラメータのパラメータ値を変更して得たパラメータ値で撮影した画像を一連の画像の中から特定し、表示中の画像を特定された画像に切替えて表示する画像表示装置を開示している。しかし、特許文献３の画像表示装置によれば、被写体が同じで撮影パラメータ値だけが微妙に異なる多くの画像の中から所望する画像を素早く見つけ出すことができるが、オートブラケット撮影機能により同一の被写体について複数の画像が記録されるため、所望の設定で撮影できるかどうかを確認するためには撮影シーンごとに複数の画像を見る必要がある上に、室内パーティ等で大量の写真を撮るときはメモリ不足になる恐れがある。
【先行技術文献】
【特許文献】
【００１１】
【特許文献１】特開2002-10134号公報
【特許文献２】特開2007-81772号公報
【特許文献３】特開2015-95739号公報
【発明の開示】
【発明が解決しようとする課題】
【００１２】
従って、本発明の目的は、撮影条件を撮影直前の環境をもとに素早く設定できる撮影装置を提供することである。
【課題を解決するための手段】
【００１３】
本発明の一実施態様である撮影装置は、ユーザの選択により又は自動設定により撮影パラメータの異なる複数の撮影条件を設定する手段と、被写体を前記複数の撮影条件ごとに撮影する手段と、前記撮影条件毎の撮影により得られた画像を表示する手段とを有する撮影条件毎撮影モードを備え、前記表示手段に表示された前記撮影条件毎撮影モードにより撮影された画像の中から所定の画像を選択する手段を有し、前記選択手段により前記所定の画像を選択することにより、前記選択された画像が撮影された時の撮影条件に対応する撮影条件に設定された撮影条件設定撮影モードに、前記撮影条件毎撮影モードから切り替える手段を有することを特徴とする。
【００１４】
本発明の別の実施態様である撮影装置は、自動設定により複数の撮影パラメータを含む撮影条件を設定する手段と、被写体を複数の前記撮影条件に基づいて撮影する手段と、撮影した画像を前記撮影条件とともに画像データとして記録する手段と、前記撮影手段により得られた画像を表示する手段とを有する自動設定撮影モードを備え、前記表示手段に表示された自動設定撮影モードにより撮影された画像を選択する手段を有し、前記選択手段により画像を選択することにより、選択された画像が撮影された時の撮影条件に対応する撮影条件に設定された撮影条件設定撮影モードに、前記自動設定撮影モードから切り替える手段を有することを特徴とする。
【発明の効果】
【００１５】
本発明の撮影装置によれば、撮影直前の環境をもとに撮影条件を素早く設定できる。
【図面の簡単な説明】
【００１６】
【図１（ａ）】本発明の一実施例による撮影装置を示す背面図である。
【図１（ｂ）】本発明の一実施例による撮影装置を示す上面図である。
【図２】撮影装置の動作の一例を説明するためのフローチャートである。
【図３】撮影装置の操作画面を示す概略図である。
【図４】撮影装置の操作画面を示す概略図である。
【図５】撮影装置の操作画面を示す概略図である。
【図６】撮影装置の動作の別の例を説明するためのフローチャートである。
【図７（ａ）】撮影装置の一時ブラケットモードでの操作画面を示す概略図である。
【図７（ｂ）】撮影装置の撮影条件設定撮影モードでの操作画面を示す概略図である。
【図８】撮影装置の動作のさらに別の例を説明するためのフローチャートである。
【発明を実施するための形態】
【００１７】
本発明の一実施例による撮影装置１を図1(a)及び図1(b)に示す。撮影装置１は、表示画面10と、決定ボタン11と、十字キーボタン12と、ボタン13と、再生ボタン14と、AEロックボタン15と、撮影モードダイヤル16と、シャッターボタン17と、電源スイッチ18と、機能ダイヤル19とを有する。本発明の特徴について、撮影装置１を例に用いて以下詳細に説明する。
【００１８】
[1] 第一の実施態様
本発明の撮影装置の動作の一例を図２に示す。ボタン13を押し、撮影条件毎撮影モード（ブラケットモード）を選択する（工程S101）。ブラケットモードとは、所定の撮影パラメータが異なる複数の撮影条件を設定し、自動で撮影パラメータを変更させながら被写体を複数の撮影条件ごとに連続して撮影する撮影手法を言う。撮影パラメータは、例えば、絞り、シャッター速度、増幅度（感度）、ストロボ発光状態、手ぶれ補正設定及びホワイトバランスを含む。
【００１９】
ブラケットモードにおいて変化させる撮影パラメータはユーザが選択できる。本実施例では、ボタン13を押すと、図３に示すように、表示画面10にブラケットモードにおける撮影パラメータの選択画面が表示される。ユーザは十字キーボタン12により選択する撮影パラメータにカーソルを当てて決定ボタン11を押すか、タッチパネル方式により、変化させる撮影パラメータを選択できる（工程S102）。
【００２０】
選択した撮影パラメータを自動で変化させながら複数枚（本実施例では６枚）の連続撮影を行う（工程S103）。連続撮影は、シャッターボタン17を１回押すか、又は複数枚の撮影が終了するまで押し続けることにより行うことができるのが好ましい。変化させる撮影パラメータとして絞りを選択した場合、自動で絞り値を変化させながら複数枚の連続撮影を行う。
【００２１】
撮影モードダイヤル16により自動露出モード（プログラムモード、絞り優先モード、シャーター速度優先モード等）を選択し、ブラケット撮影を行う場合、自動露出で得られた各撮影パラメータの撮影条件を中心に、選択した撮影パラメータを変化させながら連続撮影を行う。またマニュアルモードを選択し、ブラケット撮影を行う場合、ユーザにより設定された各撮影パラメータの撮影条件を中心に、選択した撮影パラメータを変化させながら連続撮影を行う。
【００２２】
撮影した複数の画像を撮影条件とともに画像データとして撮影装置１の記録部に記録する。例えば、プログラムモードを選択し、変化させる撮影パラメータとして絞りを選択し、結婚式のケーキカットのシーンをブラケット撮影する場合、各画像の撮影条件は表１に示すようになる。
【００２３】
【表１】
2018152719.tif 000003
【００２４】
上記ブラケット撮影により撮影された画像１〜６を表示画面10に表示する（工程S104）。再生ボタン14を押すと撮影された画像が表示画面10に表示されても良いが、ブラケット撮影を行うことにより撮影された画像が表示画面10に自動的に表示されても良い。画像１〜６を表示画面10に表示する方法としては、図４に示すように各画像を十字キーボタン12により切り替えて表示しても良く、図５に示すように画像１〜６を一括で表示しても良い。
【００２５】
画像１〜６の中でユーザの意図した通りの画像がある場合、その画像を選択する（工程S105）。画像の選択は、十字キーボタン12により選択する画像にカーソルを当てて決定ボタン11を押すか、タッチパネル方式により行うことができる。画像１〜６の中でユーザの意図した通りの画像がない場合、ボタン13を押し、撮影条件、撮影モード、変化させる撮影パラメータ等を設定し直して、ブラケット撮影を再度行うことができる。
【００２６】
画像１〜６の中から画像を選択することにより、選択した画像の撮影条件に対応する撮影条件に設定された撮影条件設定撮影モードに自動的に切り替わる（工程S109）。以後、ユーザは、選択した画像の撮影条件に対応する撮影条件で、通常の撮影［上記撮影条件が初期条件として設定されている以外はユーザが任意に（設定された初期条件も含めて）設定可能な撮影］を行うことができる。画像の選択は、決定ボタン11を押すことにより行っても良いし、AEロックボタン15を押すことにより行っても良い。AEロックボタン1５は測光値に基づいて自動設定された露出パラメータ（通常は絞り、シャッター速度）を固定する操作に用いるボタンであるが、それと本発明の、画像の選択による撮影条件の固定操作を共通の操作部材に割り当てることで、ユーザはより直感的に操作できるようになる。選択した撮影パラメータが絞り、シャッター速度又は感度であって、自動露出モードでブラケット撮影を行った場合、選択した画像の撮影条件に対応する撮影条件に設定され、かつAEロックされた撮影条件設定撮影モード（撮影条件固定撮影モード）に切り替える（工程S106〜S108）。また選択した撮影パラメータが絞り、シャッター速度及び感度以外である場合、選択した画像の撮影条件に対応する撮影条件に設定された撮影条件設定撮影モードに切り替える（工程S106）。なお、マニュアルモードでブラケット撮影を行った場合、選択した画像の撮影条件に対応する撮影条件に設定された撮影条件設定撮影モードに切り替える（工程S107）。
【００２７】
選択した画像の撮影条件に対応する撮影条件とは、選択した画像の撮影条件と同一の撮影条件がある場合は、同一の撮影条件を意味する。選択した画像の撮影条件と同一の撮影条件が無い場合、撮影パラメータに最も近い値の撮影条件に設定する。その場合、明るさが同じになるように各撮影パラメータを設定する。このときのパラメータの優先度はAEの優先パラメータを反映させて決めるか、ユーザが予め設定できる。それ以外の場合は、絞り＞シャッタースピード＞感度の優先順位で撮影パラメータを設定し、選択した画像の撮影条件に対応する撮影条件を決定する。
【００２８】
このように本発明の撮影装置は、ブラケットモードにより撮影した複数の画像の中からユーザの意図した通りの画像を選択すると、選択した画像の撮影条件に対応する撮影条件に設定された撮影条件設定撮影モードに自動的に切り替わるので、撮影直前の環境をもとに意図した通りの撮影が可能になる。それにより、例えば結婚式のように照明の明るさが頻繁に変化する会場において、シーンごとにユーザの意図する撮影条件を迅速かつ的確に設定することが可能になる。また画像を選択した後はその画像の撮影条件で撮影を行えるため、ブラケット撮影のように大量の写真データを保存してメモリ不足になったり、撮影した写真の確認や整理が困難になったりすることを防止できる。本発明により、撮影する環境と実質的に同じ環境に基づいて撮影条件を設定し、通常の撮影を行うことが可能になる。このような撮影手法は従来なし得なかった画期的なものである。
【００２９】
本実施態様では、１つの撮影パラメータを変化させてブラケット撮影を行っているが、本発明はこれに限らず、変化させる撮影パラメータは複数選択しても良い。また自動設定により所望の撮影パラメータを変化させても良い。例えば、測光値に応じて自動設定された撮影条件を中心に異なる条件で複数の画像を連続撮影しても良い。また本実施態様ではブラケット撮影により６枚の連続撮影を行っているが、本発明はこれに限らず、撮影枚数は適宜設定可能である。
【００３０】
[2] 第二の実施態様
本発明の撮影装置の動作の別の例を図６に示す。本実施例では、ボタン13を押すと、一時ブラケットモードが選択される（工程S201）。一時ブラケットモードは、変更する撮影パラメータの選択、連続撮影及び撮影した画像を表示するのは、第一の実施態様のブラケットモードと同様であるが（工程S202〜S204）、連続撮影した画像の中から画像を選択すると（工程S205）、一時ブラケットモードで撮影された画像は全て削除される（工程S206）。これにより、ブラケット撮影によるいわゆる試し撮り画像が撮影装置に大量に保存され、整理が困難になるのを防止できる。また連続撮影した画像の中から画像を選択すると、一時ブラケットモードで撮影された画像のうち、選択した画像以外の画像が削除されても良い。また、メモリの容量が潤沢にある場合には、削除する代わりに別階層に分離したり、ファイル名を変更（例えばファイル名の先頭に「_」等の特殊な記号を付与）したりしても良い。それにより、削除処理より短時間で処理でき都合が良い場合もある。
【００３１】
連続撮影した画像の中から画像を選択すると、第一の実施態様と同様に、選択した画像の撮影条件に対応する撮影条件に設定された撮影条件設定撮影モードに自動的に切り替わる（工程S207〜S210）。そのため、撮影する環境と実質的に同じ環境に基づいて撮影条件を設定し、通常の撮影を行うことが可能になる。
【００３２】
本実施態様において、屋外の電車を撮影する場合を図7(a)及び図7(b)にを用いて説明する。図7(a)は、撮影直前の風景を一時ブラケットモードで撮影している状態を示す。得られた複数の画像のうち、ユーザの意図に合致した画像を選択し、選択した画像の撮影条件に対応する撮影条件に設定された撮影条件設定撮影モードに切り替える。その状態で、図7(b)に示すように、ユーザが撮影したい構図の撮影を行う。
【００３３】
図7(a)において撮影直前の風景を一時ブラケットモードで撮影すれば、ユーザが撮影しようとする図7(b)の主に背景に対して、日光の照射、明るさ等の撮影環境が実質的に同一であり、図7(b)でユーザが撮影しようとする被写体の主に背景に対して撮影条件を設定することができる。ユーザはこの設定をベースに電車の色や反射、背景に対する比率を想像して撮影パラメータを微調整することで、従来より楽に電車の撮影が可能になる。また本発明によればユーザの意図する撮影条件を直感的に素早く設定できるので、本例のように電車が遠くから迫ってきて撮影タイミングまでにあまり時間がない場合にも対応可能である。またブラケット撮影では撮影パラメータの異なる複数の写真を撮るので、どうしても各撮影パラメータごとの撮影間隔は開いてしまう。また意図した撮影条件で撮れているかどうかは後からでなければ確認できない。それに対し本発明では、意図した撮影条件で、ブラケット撮影よりも短い間隔での連続撮影が可能になるので、ユーザの意図する構図の写真が撮れている確率が高くなる。
【００３４】
[3] 第三の実施態様
本発明の撮影装置の動作のさらに別の例を図８に示す。ボタン13を押すと、自動設定撮影モードが選択される（工程S301）。自動設定撮影モードでは、測光値に応じて撮影条件が自動設定される。自動設定するパラメータの優先度はAEの優先パラメータを反映させる。
【００３５】
自動設定された撮影条件で撮影を行い（工程S302）、撮影された画像を表示画面10に表示する（工程S303）。表示された画像がユーザの意図した通りの画像である場合、その画像を選択する（工程S304）。画像の選択は、決定ボタン11を押すか、タッチパネル方式により行うことができる。表示された画像がユーザの意図した通りの画像でない場合、ボタン13を押し、その時点の測光値に応じて自動設定された撮影条件で自動設定撮影を再度行う。
【００３６】
このようにユーザの意図した通りの画像が撮影されるまで、自動設定撮影を繰り返し行うことにより、撮影時又は撮影箇所の測光値に応じて自動設定された撮影条件で複数の写真が自動設定撮影される。そのため、ユーザは種々の撮影条件で撮影された複数の写真の中から意図した通りの画像を見つけることができる。
【００３７】
自動設定撮影した画像の中から画像を選択すると、第一の実施態様と同様に、選択した画像の撮影条件に対応する撮影条件に設定された撮影条件設定撮影モードに自動的に切り替わる（工程S306〜S309）。そのため、撮影する環境と実質的に同じ環境に基づいて撮影条件を設定し、通常の撮影を行うことが可能になる。
【００３８】
自動設定撮影した画像を選択すると、自動設定撮影モードで撮影された画像は全て削除されても良い（工程S305）。これにより、自動設定撮影によるいわゆる試し撮り画像が撮影装置に保存され、整理が困難になるのを防止できる。自動設定撮影した画像の中から画像を選択すると、自動設定撮影で撮影された画像のうち、選択した画像以外の画像が削除されても良い。
【００３９】
第一〜第三の実施態様では、ボタン13を押すと、ブラケットモード、一時ブラケットモード及び自動設定撮影モードのいずれかが選択されるが、本発明はこれに限らず、ボタン13を押すと、ブラケットモード、一時ブラケットモード及び自動設定撮影モードを選択する画面が表示画面10に表示され、上記モードのいずれかを選択しても良い。
【００４０】
本発明の撮影装置は、第一〜第三の実施態様に限らず、本発明の範囲を逸脱しない限りで、種々の動作をすることができる。例えば、画像を選択した時点で、自動露出モードで撮影された場合であっても、選択した画像選択した画像の撮影条件に対応する撮影条件に設定されたマニュアルモードの撮影条件設定撮影モードに自動的に切り替えても良い。また第一〜第三の実施態様では、表示画面10に表示された選択画面から変化させる撮影パラメータを選択しているが、本発明はこれに限らず、撮影モードダイヤル16や機能ダイヤル19を操作して設定しても良い。
【符号の説明】
【００４１】
１・・・撮影装置
10・・・表示画面
11・・・決定ボタン
12・・・十字キーボタン
13・・・ボタン
14・・・再生ボタン
15・・・AEロックボタン
16・・・撮影モードダイヤル
17・・・シャッターボタン
18・・・電源スイッチ
19・・・機能ダイヤル
【図１（ａ）】
2018152719.tif 000004
【図１（ｂ）】
2018152719.tif 000005
【図２】
2018152719.tif 000006
【図３】
2018152719.tif 000007
【図４】
2018152719.tif 000008
【図５】
2018152719.tif 000009
【図６】
2018152719.tif 000010
【図７（ａ）】
2018152719.tif 000011
【図７（ｂ）】
2018152719.tif 000012
【図８】
2018152719.tif 000013